(57)【要約】【課題】椿油の精製が完了して他の小容器に移し換えるまでに、極力大気中の空気と接触させずに、可及的に成分変化のない純粋な精製オイルとして、最終利用者にまで提供する。【解決手段】計量器６の天井部に、窒素ガスが充填された風船８を予め接続して、計量器６から小容器１０に椿油が充填される際に、風船８から供給されてくる窒素ガスを計量器６の液面上部に導いて、この窒素ガスの圧力で椿油の小容器１０への排出を促すとともに、小容器１０に充填された椿油の表面を窒素ガスで満たすことを特徴としている。【選択図】　図１
2004106869.tif 000002
【特許請求の範囲】
【請求項１】
椿油を貯留した加搬式のオイルタンクを、架台の上段に着脱自在に取り付けするとともに、予め前記架台の中段に設置された計量器により、前記オイルタンクから自然落下してくる椿油を計量し、計量された椿油を、前記計量器の排出口に設置された小容器に充填するにあたり、
前記計量器の上部に、予め窒素ガスが充填された風船を接続して、前記計量器から前記小容器に椿油が充填される際に、前記風船から供給されてくる窒素ガスを前記計量器内に導いて、この窒素ガスの圧力で前記椿油の小容器への排出を促すとともに、当該小容器に充填された椿油の表面を窒素ガスで満たすことを特徴とする椿油の充填方法。
【請求項２】
前記オイルタンクと前記風船とは、１つのユニットとして前記架台に着脱自在に取り付けられることを特徴とする請求項１に記載の椿油の充填方法。
【発明の詳細な説明】
【０００１】
【産業上の利用分野】
本発明は、椿油を精製した後、最終ユーザーが極力酸化していない椿油を使用することを可能とする椿油の充填方法に関する。
【０００２】
【従来の技術】
例えば、椿油は、人間の皮脂の成分と同じ仲間のオレイン酸トリグリセライトを多く含んでおり、天然植物油の中で、人間の脂質に最も近いオイルである。したがって、この椿油は、皮膚に付けてもさらっとしてべとつかず、吸収も良く、胃にもたれず消化に優れている。
【０００３】
したがって、このようなオレイン酸トリグリセライドの主脂肪酸組成を変化させることなく、同時に不純物を除去し、酸価値の低い状態で最終ユーザーに供給されることが好ましい。
しかし、従来の加水加圧処理油では、油中のＨ２Ｏ（水）の分解によって生じる活性水素による化学的組成変化を使った不純物除去であったため、オレイン酸の３分子結合（トリグリセライド）等にも化学的組成変化を生じてしまった。そこで、原油を活性炭電極の間を通過させることによって、原油中の不純物を吸着ろ過することで油脂の化学的組成を変化させずに油中の不純物を除去する方法が考案された（例えば、特願２００１−１４０２５２号）。
【０００４】
【発明が解決しようとする課題】
ところが、このように精製の段階でいくら椿油の酸価値を下げたとしても、精製後、小容器に分ける作業を行なう間は、特別の配慮がなされていないため、充填の最中、あるいは充填された後に空気に触れてしまい、その結果、最終ユーザーが使用するまでの間に、椿油の酸化値が次第に高くなってしまうという問題があった。
【０００５】
特に、椿油中の人間の皮下脂質と同じ成分である天然オレイン酸トリグリセライドが酸化してしまうと、皮膚への安定吸収性、保水効果などが損われてしまい、好ましくない。
本発明は、このような実情に鑑み、椿油の非加熱精製が完了して他の小容器に移し換えるまでに、極力大気中の空気と接触させずに充填し、その状態を維持したまま最終利用者にまで提供することが可能となる椿油の充填方法を提供することを目的とする。
【０００６】
【課題を解決するための手段】
上記目的を達成するための本発明は、椿油を貯留した加搬式のオイルタンクを、架台の上段に着脱自在に取り付けするとともに、予め前記架台の中段に設置された計量器により、前記オイルタンクから自然落下してくる椿油を計量し、計量された椿油を、前記計量器の排出口に設置された小容器に充填するにあたり、
前記計量器の上部に、予め窒素ガスが充填された風船を接続して、前記計量器から前記小容器に椿油が充填される際に、前記風船から供給されてくる窒素ガスを前記計量器内に導いて、この窒素ガスの圧力で前記椿油の小容器への排出を促すとともに、当該小容器に充填された椿油の表面を窒素ガスで満たすことを特徴としている。
【０００７】
このような構成であれば、精製された椿油を小容器に充填するまでの間に、椿油は空気に接触することがなく、また充填された後も椿油の表面が窒素ガスで覆われているので、精製された椿油の酸化を極力防止することができる。
ここで、前記オイルタンクと前記風船とは、１つのユニットとして前記架台に着脱自在に取り付けられることが好ましい。
【０００８】
このような構成であれば、椿油が充填されたオイルタンクの交換と窒素ガスが充填された風船の交換とを、一回の作業で同時に行なうことができる。
【０００９】
【発明の実施の形態】
以下、図面を参照しながら本発明の実施例について説明する。
図１は、本発明に係る充填方法の原理図を示したもので、図２はその原理に基いた充填装置を示したものである。
今、活性炭電極などを通過させて、不純物が少なく酸価値が低くされた純粋の椿油が、キャリアコンテナとも呼ばれる、持ち運ぶことが可能にされたオイルタンク２内に充填されている。そして、このオイルタンク２は、アングルなどからなる架台３に対し、天地が逆転して配置され、これにより下方に開口したオイルタンク２の排出用の出口４から、自然落下で内部の椿油が排出される。
【００１０】
一方、オイルタンク２が設置される架台３の上段より一段低い位置の中段には、予め第１の開閉弁５と第２の開閉弁１４とが上下に付設された計量器６が取り付けられている。そして、この計量器６により、オイルタンク２から配管１３を介して次第に滴下してきた椿油が計量されている。また、オイルタンク２とともに架台３の上段には、窒素ガスが満たされた風船８が配置される。そして、この風船８と計量器６との間は、ゴムホースなどの可撓性の配管９で着脱自在に接続されている。これにより、計量器６内には、風船８内の窒素ガスの圧力が常時付加され、これにより、計量器６内には、所定の窒素ガスが供給されるようになっている。なお、窒素ガスは、大気よりも重いため、計量器６内の椿油の表面を、常に覆うことになる。
【００１１】
ここで、第１の開閉弁５を開とし、第２の開閉弁１４を閉とした状態で、所定量の椿油が計量器６で計量されたら、第１の開閉弁５を閉とし、第２の開閉弁１４を開とする。これにより、計量器６内で計量された椿油は、自重および窒素ガスの圧力で下方に押し出され、小容器１０内に移し出される。
このように、小容器１０内に椿油が移し出されるときに、窒素ガスも小容器１０内に入り込むので、小容器１０内においても、椿油の表面は窒素ガスで覆われることになる。
【００１２】
このような充填方法を採用することにより、オイルタンク２から容器１０内に椿油を小分けすれば、精製された椿油は途中で空気に触れることはない。したがって、さらにこの容器１０の口部に蓋をすれば、空気に触れさせることなく、どこにでも運搬することができる。
よって、本発明に係る方法で椿油が充填された小容器１０から椿油を使用する場合は、精製時と何ら変わらない純粋な椿油を、美容用あるいは食用として用いることが可能になる。
【００１３】
なお、本実施例では、オイルタンク２と窒素ガスで満たされた風船８とが一つのユニットとして用いられている。すなわち、オイルタンク２と風船８とは、別々の容器に充填されているものの、持ち運びが容易であるように一つのダンボール箱の中に収容され、このダンボール箱ごと、架台３に設けられたブラケット１５上に設置されている。したがって、空になったオイルタンクと風船８とを一回の操作で交換することが可能にされている。
【００１４】
【発明の効果】
以上説明したように、本発明に係る椿油の充填方法によれば、精製された椿油をオイルタンクから小容器に移し換えるにあたり、その作業の途中で空気と接触することがなく、また、小容器に移された後にも、窒素ガスで表面が覆われることになるので、椿油の酸化を極力抑えることができる。したがって、オレイン酸トリグリセライドを主脂肪酸成分とする椿油を、自然界に存在する天然のものと略同様な状態で最終ユーザーにまで提供することが可能になる。
【図面の簡単な説明】
【図１】図１は、本発明に係る椿油の充填方法の原理を示す概略図である。
【図２】図２は本発明に係る充填方法が採用された充填装置の斜視図である。
【符号の説明】
２　　　オイルタンク
３　　　架台
６　　　計量器
８　　　風船
【図１】
2004106869.tif 000003
【図２】
2004106869.tif 000004